(57)【要約】      （修正有）【課題】ベルトの上にユーザーが乗って歩いても、足をベルトから踏み外して転倒することのないバランストレーニング器具を提供する。【解決手段】バランストレーニング器具１００は、レール形状をした全体が弾性体で成形された本体１と、本体１の両端近傍にそれぞれ設けたレール接続用の一対の穴２と、当該穴２に篏合する一対の突起部３を所定間隔で２つ有する接続具４とから構成される。本体１の面一となる底面５を部屋の床に置き、ユーザーは、片足で本体１の上に乗り、片足を離し且つ両手を広げて全体のバランスを保ちつつ、当該本体１の上を一方向に且つ落ちないように歩く。これにより、体全体のバランス感覚が鍛えられる。また、足を踏み外しても高低差がないので転び難く、安全に遊ぶことができる。更に、弾性体を使用しており、ベルトのような不安定感が少ないことから、初心者でも簡単に楽しむことができる。【選択図】図１
2019180669.tif 000002
【特許請求の範囲】
【請求項１】
レール形状をした全体が弾性体で構成されると共に床面に面で接地し得る底面を有する複数の本体と、
本体どうしを相互に接続する接続手段と、を備え、
床面設置状態で水平方向に自由に屈曲し且つ足で乗って長手方向に進むように用いることを特徴とするバランストレーニング器具。
【請求項２】
端に穴を有し、当該穴に篏合する突起部を平板上に有する接続具を有する請求項１に記載のバランストレーニング器具。
【請求項３】
端に２つの穴２を有し、穴２に篏合する突起部を２つ有する接続具を有し、かつ、前記穴と穴との間隔と突起部と突起部との間隔が略同じであると共に、
端面と穴との間隔が突起部と突起部との間隔の略半分であることを特徴とする請求項１または２に記載のバランストレーニング器具。
【請求項４】
前記本体の長手方向の側端縁から穴までの間隔は、前記突起部と突起部との間隔の略半分であることを特徴とする請求項１〜３のいずれか一つに記載のバランストレーニング器具。
【発明の詳細な説明】
【技術分野】
【０００１】
本発明は、レールの上を歩行することでバランス感覚を養うバランストレーニング器具に関するものである。
【背景技術】
【０００２】
従来から特許文献２に記載されているような「スラックライン」と言われるバランストレーニング器具が知られている。このバランストレーニング器具は、長尺の台座ベース材の両端に支持台を設け、この支持台の間にベルトを張架した構成であり、当該ベルトにユーザーの片足又は両足を乗せてバランスをとるものである。
【先行技術文献】
【特許文献】
【０００３】
【特許文献１】特開２０１７−２３６７７号公報
【発明の概要】
【発明が解決しようとする課題】
【０００４】
しかしながら、上記従来のバランストレーニング器具では、ベルトが床面から浮いた状態に保持され、このベルトの上にユーザーが乗って歩くことになるため、例えば高齢者などの体の自由が利きにくいユーザーには不向きであり、足をベルトから踏み外して転倒するなどの問題点があった。また、ベルトに乗れるまでに慣れが必要であるため、すぐに楽しむことができないという問題点があった。本発明は、係る問題点を解決するためになされたものである。
【課題を解決するための手段】
【０００５】
本発明に係るバランストレーニング器具は、レール形状をした全体が弾性体で構成されると共に床面に面で接地し得る底面を有する複数の本体と、本体どうしを相互に接続する接続手段と、を備え、床面設置状態で水平方向に自由に屈曲し且つ足で乗って長手方向に進むように用いることを特徴とする。
【０００６】
また、前記端に穴を有し、当該穴に篏合する突起部を平板上に有する接続具を有するようにしても良い。更に、前記端に２つの穴２を有し、穴２に篏合する突起部を２つ有する接続具を有し、かつ、前記穴と穴との間隔と突起部と突起部との間隔が略同じであると共に、
端面と穴との間隔が突起部と突起部との間隔の略半分としても良い。更に、前記本体の長手方向の側端縁から穴までの間隔は、前記突起部と突起部との間隔の略半分としても良い。
【図面の簡単な説明】
【０００７】
【図１】本発明の実施の形態１に係るバランストレーニング器具を示す斜視図である。
【図２】本体と接続具との関係を示す説明図である。
【図３】本体どうしを長手方向に接続した状態の例を示す説明図である。
【図４】図３のように本体を接続した場合におけるユーザーの使用状態を示す説明図である。
【図５】バランストレーニング器具の変形状態の例を示す説明図である。
【図６】本発明の実施の形態２に係るバランストレーニング器具を示す平面図である。
【図７】本発明に係るバランストレーニング器具の接続具の変形例を示す斜視図である。
【図８】本体の断面形状の変形例を示す説明図である。
【図９】本発明に係るバランストレーニング器具の付属品を示す説明図である。
【図１０】本体の配置例を示す説明図である。
【発明を実施するための形態】
【０００８】
（実施の形態１）
図１は、本発明の実施の形態１に係るバランストレーニング器具を示す斜視図である。このバランストレーニング器具１００は、レール形状をした全体が弾性体で成形された本体１と、本体１の両端近傍にそれぞれ設けたレール接続用の一対の穴２と、当該穴２に篏合する一対の突起部３を所定間隔で２つ有する接続具４とから構成される。弾性体は、ウレタン、ゴム、プラスチックなどの一般的な素材を用いる。また、前記本体１は、レール形状をした長尺物であり、長手方向に直交する方向の断面が半円形となる。このため、底面５は面一となり当該底面５を床に載置できる。前記接続具４は、板体６の一面に前記突起部３を所定間隔で設けた構成である。板体６は、金属または樹脂製であり、前記突起部３は本体１と同じ素材または本体１より硬い素材である。
【０００９】
図２は、本体と接続具との関係を示す説明図である。本体１の端部近傍には２つの一対の穴２が設けられる。この穴２（中心点位置、以下同じ）と穴２との間隔ｔ１は、前記接続具４の突起部３（中心点位置、以下同じ）と突起部３との間隔ｔ２と略同じとする。このようにすれば、各突起部３を各穴２に篏合することで、前記本体１に接続具４を取り付けた状態で使用できる。特に、収納時に本体１に取り付けておくことができれば、接続具４が紛失するのを防止できるし、収納も本体１のみを扱えばよいので簡単である。
【００１０】
次に、本体１どうしを長手方向に接続する場合において、本体１の端面どうしを当接したとき、各本体１の最端位置の穴２と穴２との間隔ｔ３が、前記突起部３と突起部３との間隔ｔ２と同じになるようにする。換言すると、本体１の端面から穴２までの間隔ｔ４は、本体１の端面どうしを当接した場合における各本体１の最端位置の穴２と穴２との間隔ｔ３の半分である。これにより、本体１どうしを接続する場合に端面が隙間なく突き合わされるので、好ましい接続状態が得られる。例えば、本体１どうしを接続した状態でレール全体を屈曲させて使用する場合、隙間なく突き合わせができていれば当該接続部分で本体１どうしが分離し難くなるので、きれいに屈曲できる。
【００１１】
また、図２（ｂ）に示すように、本体１の端部どうしを平行して一部隣接させた場合において、突起部３と突起部３との間隔ｔ２が、隣接する本体１の穴２と穴２との間隔ｔ５と同じになるようにする。換言すると、本体１の長手方向の側端縁から穴２までの間隔ｔ６は、本体１の側端面どうしを当接した場合における突起部３と突起部３との間隔ｔ２（各本体１の穴２と穴２との間隔ｔ５）の半分である。このようにすれば、本体１どうしを平行に並べて当該接続具４により接続できる。このとき、接続具４は、本体１の長手方向に対して直交方向に配置されて当該本体１どうしを接続することになる。
【００１２】
また、図２（ｃ）に示すように、本体１同士を完全に２列に並べた状態で当該接続具４により本体１どうしを接続しても良いし、図２（ｄ）に示すように、３つの本体１の端部を接続具４により接続しても良い。このように、接続具４の突起部３と突起部３との間隔を上記のように設定することで、本体１どうしの接続を好ましい状態で行うことができる。
【００１３】
図３は、本体どうしを長手方向に接続した状態の例を示す説明図である。図４は、図３のように本体を接続した場合におけるユーザーＵの使用状態を示す説明図である。本体１の面一となる底面５を部屋の床に置く。これにより、バランストレーニング器具１００が床に対して安定して設置される。ユーザーＵは、例えば片足で本体１の上に乗り、片足を離し且つ両手を広げて全体のバランスを保ちつつ、当該本体１の上を一方向に且つ落ちないように歩く。これにより、体全体のバランス感覚が鍛えられて、体全体の筋肉を使用することから筋力が増強される。また、床に置いた状態で使用することから、仮に足を踏み外しても高低差がなく転び難い。このため、安全に遊ぶことができる。更に、弾性体を使用しており、ベルトのような不安定感が少ないことから、初心者でも簡単に楽しむことができる。
【００１４】
図５は、バランストレーニング器具の変形状態の例を示す説明図である。同図（ａ）に示すように、本体１は弾性体で成形されていることから、渦を巻くように変形できる。特に、使用の場面の他、小さく巻くことでコンパクトになり、持ち運びに便利になる。また、同図（ｂ）に示すように、任意の形状に屈曲できる。
【００１５】
なお、上記図３の例では、底面５を床面に置くようにしたが、上下逆にしても良い。即ち、断面が半円形の頂部を床面側にして床に置くことで、全体として不安定にする。この状態で、前記面一の底面５にユーザーＵが足を載せて使用する。この使用方法の場合、より高度なバランスが求められるので、きついトレーニングを実施できるようになる。
【００１６】
（実施の形態２）
図６は、本発明の実施の形態２に係るバランストレーニング器具を示す平面図である。このバランストレーニング器具２００は実施の形態１にかかるバランストレーニング器具１００と略同様であるが、前記穴２を前記間隔ｔ１で長手方向に多数形成した点に特徴がある。その他の構成は実施の形態１と同様であるためその説明を省略し同一構成要素には同一符号を付する。
【００１７】
このようにすれば、本体１の両端以外の部分で他の本体１との接続を行うことができる。例えば、同図（ａ）に示すように、略中央の位置で他の本体１の端部を前記接続具４を用いて接続する。なお、同図（ａ）の例では、穴２を長手方向に同一間隔で設けたが、同図（ｂ）に示すように、異なる間隔で用いることもできる。
【００１８】
図７は、本発明に係るバランストレーニング器具の接続具の変形例を示す斜視図である。この接続具４は、三角形の板体６１のそれぞれの頂点近傍に前記突起部３を設けた点に特徴がある。この接続具４の各突起部３を本体１の端部の穴２に篏合させることで、３つの本体１を接続できる。また、同図（ｂ）に示すように、四角形の板体６２のそれぞれの頂点近傍に前記突起部３を設けることで、この接続具４の各突起部３を本体１の端部の穴２に篏合させれば４つの本体１を接続できる。
【００１９】
図８は、本体の断面形状の変形例を示す説明図である。同図（a）に示すように、短手方向の断面が円形（または楕円）であっても良い。同図（ｂ）に示すように、短手方向の断面が矩形であっても良い。また、同図（ｃ）に示すように、短手方向の断面が台形であっても良い。また、同図（ｄ）に示すように、短手方向の断面が半円形で表面に小さな凸部が設けられていても良い。
【００２０】
図９は、本発明に係るバランストレーニング器具の付属品を示す説明図である。この付属品５０である。この付属品５０は、進行の邪魔になる障害物５０である。この障害物５０は、例えば同図に示すような逆Ｕ字形状の門型障害物である。この障害物５０は、下端が土台となっており自立可能である。また、前記本体１にまたがるように設置可能となるため、Ｕ字形状の脚と脚との間隔は、本体１の幅より大きい。ユーザーＵは、レール上をバランスをとりつつ歩くと共に、この障害物５０を乗り越えながら進む。これにより、バランストレーニング器具１００によるバランス養成効果がより高まる。
【００２１】
図１０は、本体の配置例を示す説明図である。本体１を所定間隔をあけて床に配置すると共に本体１どうしを長尺の板体６３に突起部３を設けた接続具４１で接続しても良い。このようにすれば、両足でそれぞれの本体１に乗ることができるので、安定して簡単に使用できる。
【００２２】
また、複数の本体１に異なる色を付与しても良い。また、ＬＥＤ光源及び電源を本体１に設けて光るようにしても良い。このとき、本体１にセンサーまたはスイッチを設け、ユーザーＵが足を乗せている状態を取得して、前記ＬＥＤ光源のオンオフを行う制御手段を設けても良い。このＬＥＤ光源に代えて、音源又はバイブレータを設けても良い。
【符号の説明】
【００２３】
１００  バランストレーニング器具
１  本体
２  穴
３  突起部
４  接続具
５  底面
６  板体
【図１】
2019180669.tif 000003
【図２】
2019180669.tif 000004
【図３】
2019180669.tif 000005
【図４】
2019180669.tif 000006
【図５】
2019180669.tif 000007
【図６】
2019180669.tif 000008
【図７】
2019180669.tif 000009
【図８】
2019180669.tif 000010
【図９】
2019180669.tif 000011
【図１０】
2019180669.tif 000012
【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
レール形状をした全体が弾性体で構成されると共に床面に面で接地し得る底面を有する複数の本体と、
本体どうしを相互に接続する接続手段と、を備え、
前記本体が床面設置状態で水平方向に自由に屈曲し且つユーザーが前記本体に足で乗って長手方向に進むように用いることを特徴とするバランストレーニング器具。
【請求項２】
前記本体の端に穴を有し、当該穴に篏合する突起部を平板上に有する接続具を有する請求項１に記載のバランストレーニング器具。
【請求項３】
前記本体の端に２つの穴を有し、当該穴に篏合する突起部を２つ有する接続具を有し、かつ、前記穴と穴との間隔と突起部と突起部との間隔が略同じであると共に、端面と穴との間隔が突起部と突起部との間隔の略半分であることを特徴とする請求項１または２に記載のバランストレーニング器具。
【請求項４】
前記本体の長手方向の側端縁から穴までの間隔は、前記突起部と突起部との間隔の略半分であることを特徴とする請求項１〜３のいずれか一つに記載のバランストレーニング器具。